(57)【要約】      （修正有）【課題】液卵の取り扱い及び管理が容易に行えるとともに、所望する量の液卵を様々な用途或いは目的に使用することができる液卵充填容器を提供する。【解決手段】紙２ａと、ポリエチレン２ｂと、アルミ箔２ｃとを積層してなるラミネート構造の紙材で構成された容器本体２の内部に、卵白と卵黄とからなる液卵を充填するための液卵充填室３を形成している。容器本体２の上部外壁に、液卵充填室３に充填された液卵を取り出すための口部４が設けられている。口部４の外側には、該口部４を閉塞するための蓋体５が着脱自在に取り付けられている。口部４の内側には、該口部４を内側から閉塞するための内蓋６が開閉自在に取り付けられた液卵充填容器である。【選択図】図３
0003158539.tif 000002
【実用新案登録請求の範囲】
【請求項１】
卵から取り出した液卵を充填する密封型の液卵充填容器であって、
前記容器本体の内部に、前記液卵を充填するための液卵充填室を形成し、
前記容器本体の上部外壁に、前記液卵充填室に充填された液卵を取り出すための口部を設け、
前記口部に、該口部が閉塞される蓋体を着脱自在に取り付けた
液卵充填容器。
【請求項２】
前記液卵充填室の内部を、前記液卵が個々に充填される複数の充填室に分割し、
前記容器本体の上部外壁に、前記各充填室に連通して該各充填室に充填された液卵を取り出すための口部を個々に設け、
前記口部に、該口部が閉塞される蓋体を着脱自在に取り付けた
請求項１に記載の液卵充填容器。
【請求項３】
前記容器本体の上部外壁に、前記液卵充填室の内部に形成された隣り合う各充填室に連通して、該各充填室に充填された２つの液卵を同時に取り出すための２液用口部を設け、
前記２液用口部に、該２液用口部が閉塞される蓋体を着脱自在に取り付けた
請求項２に記載の液卵充填容器。
【請求項４】
前記口部の内側に、該口部が閉塞される内蓋を開閉自在に取り付けるとともに、
前記内蓋を、前記液卵の流出が阻止される閉状態と、該液卵の流出が許容される開状態とに開閉動作自在に設けた
請求項１〜３のいずれか一つに記載の液卵充填容器。
【請求項５】
前記液卵を、該液卵から分離された卵白液と卵黄液とのいずれか一方の液で構成した
請求項１のいずれか一つに記載の液卵充填容器。
【請求項６】
前記容器本体を、柔軟性を有するチューブ状或いはバック状の容器で構成した
請求項１〜５のいずれか一つに記載の液卵充填容器。
【考案の詳細な説明】
【技術分野】
【０００１】
この考案は、例えば鶏卵、鶉卵等の卵から取り出した液卵の取り扱い及び管理が容易に行える液卵充填容器に関する。
【背景技術】
【０００２】
従来は、養鶏場で収穫された鶏卵を、トラック等の交通輸送機関を利用してパック詰め工場や液卵工場へ運搬或いは輸送する場合、運搬時或いは輸送時に付与される振動によって、卵の殻に割れや亀裂等が発生しやすく、運搬や輸送の途中で卵から液卵が流出するため、損失を無くすことが困難であった。また、卵から液卵を取り出す際に、卵の殻を割る作業に手間及び時間が掛かるだけでなく、卵の殻を割った際に、液卵が衣服に付着することがある。また、卵の殻を棄てるのが大変煩わしく、液卵を使用する製菓や料理を作る回数が少なくなる。
【０００３】
上記鶏卵から取り出した液卵を運搬或いは輸送する方法の一例として、例えば特許文献１の飲料用紙パックのための飲料注出具等が提案されているが、飲料が残存する紙パックを長期保存する場合、紙パックの頂部外壁に突き刺された飲料注出具の口部をキャップで閉塞するまでに、例えばゴミや虫等の異物が紙パック内に侵入するか、紙パック内の飲料が空気に接触しやすく、飲料を清潔な状態に保つことが難しい。
【先行技術文献】
【特許文献】
【０００４】
【特許文献１】実公昭６１−２９６８０号公報
【考案の概要】
【考案が解決しようとする課題】
【０００５】
この考案は、液卵の取り扱い及び管理が容易に行えるとともに、所望する量の液卵を様々な用途或いは目的に使用することができる液卵充填容器を提供することを目的とする。
【課題を解決するための手段】
【０００６】
この考案は、卵から取り出した液卵を充填する密封型の液卵充填容器であって、前記容器本体の内部に、前記液卵を充填するための液卵充填室を形成し、前記容器本体の上部外壁に、前記液卵充填室に充填された液卵を取り出すための口部を設け、前記口部に、該口部が閉塞される蓋体を着脱自在に取り付けた液卵充填容器であることを特徴とする。
【０００７】
これにより、液卵充填容器の上部外壁に設けられた口部から液卵を取り出すので、容器本体の上部全体を開口するよりも、容器本体の内部に異物や空気が侵入しにくく、液卵が空気に接触しにくいため、液卵の鮮度が低下するのを抑えることができる。
【０００８】
また、この考案の態様として、前記液卵充填室の内部を、前記液卵が個々に充填される複数の充填室に分割し、前記容器本体の上部外壁に、前記各充填室に連通して該各充填室に充填された液卵を取り出すための口部を個々に設け、前記口部に、該口部が閉塞される蓋体を着脱自在に取り付けることができる。  
これにより、例えば液卵から分離された卵白液と卵黄液とを２つの充填室に対し別々に充填しておけば、製菓や料理等を作る際に、その用途或いは目的に応じて、卵白液と卵黄液とのいずれか一方を選択して使用することができる。
【０００９】
また、この考案の態様として、前記容器本体の上部外壁に、前記液卵充填室の内部に形成された隣り合う各充填室に連通して、該各充填室に充填された２つの液卵を同時に取り出すための２液用口部を設け、前記２液用口部に、該２液用口部が閉塞される蓋体を着脱自在に取り付けることができる。  
これにより、容器本体の２液用口部から卵白液と卵黄液とを同時に取り出すことができる。
【００１０】
また、この考案の態様として、前記口部の内側に、該口部が閉塞される内蓋を開閉自在に取り付けるとともに、前記内蓋を、前記液卵の流出が阻止される閉状態と、該液卵の流出が許容される開状態とに開閉動作自在に設けることができる。  
これにより、容器本体の口部が蓋体で閉塞されるまでに、例えばゴミや虫等の異物が容器本体の内部に侵入するか、該容器本体の内部に空気が侵入するのを阻止することができる。
【００１１】
また、この考案の態様として、前記液卵充填室に、前記液卵を分離してなる卵白液と卵黄液とのいずれか一方を充填することができる。  
これにより、卵白液と卵黄液を、用途或いは目的に応じて使い分けることができる。
【００１２】
また、この考案の態様として、前記容器本体を、柔軟性を有するチューブ状或いはバック状の容器で構成することができる。  
これにより、液卵充填容器に充填された液卵の略全量を取り出すことができる。
【００１３】
前記容器本体は、例えば合成樹脂製の容器(ペットボトル)、金属製の容器(アルミ缶、スチール缶)、セラミック製の容器等で構成することができる。
【考案の効果】
【００１４】
この考案によれば、液卵充填容器の上部外壁に設けられた口部から液卵を取り出すので、容器本体の上部全体を開口するよりも、容器本体の内部に異物や空気が侵入しにくく、液卵が空気に接触しにくい構造であるため、液卵の鮮度が低下するのを抑えることができるとともに、清潔且つ衛生的な常態を保つことができる。
【００１５】
また、液卵を、液卵充填容器に充填したまま運搬或いは輸送するので、液卵の取り扱い及び管理が容易に行えるとともに、運搬或いは輸送するのに大変便利である。また、液卵充填容器の口部から液卵を取り出すので、卵の殻割り及び殻を捨てるような手間及び作業が省ける。また、例えばケーキや製菓、料理等の液卵を必要とする様々な用途或いは目的に、所望する量の液卵を即使用することができる。
【図面の簡単な説明】
【００１６】
【図１】液卵が充填された液卵充填容器の外観形状を示す斜視図。
【図２】液卵が充填された液卵充填容器の内部構造を示す縦断側面図。
【図３】液卵充填容器に設けられた口部の構造を示す拡大縦断側面図。
【図４】卵白液と卵黄液とを個々に充填する液卵充填容器を示す縦断側面図。
【図５】２液を同時に取り出すことができる液卵充填容器を示す縦断側面図。
【図６】液卵、卵白液、卵黄液を充填する液卵充填容器を示す横断平面図。
【図７】液卵が充填されたチューブ状の液卵充填容器を示す縦断側面図。
【図８】液卵が充填されたバック状の液卵充填容器を示す縦断側面図。
【考案を実施するための形態】
【実施例】
【００１７】
図１は、液卵Ａが充填された液卵充填容器１の外観形状を示す斜視図、図２は、液卵Ａが充填された液卵充填容器１の内部構造を示す縦断側面図、図３は、液卵充填容器１に設けられた口部４の構造を示す拡大縦断側面図である。
【００１８】
本実施例の液卵充填容器１は、鶏卵から取り出した卵白と卵黄とからなる液卵Ａを、殺菌処理された容器本体２の液卵充填室３に充填した紙パック型の容器である。
【００１９】
容器本体２を構成する外壁は、紙を基材として複数の層が積層されたラミネート構造の紙材で構成されている。実施例の紙材は、紙２ａの両面にポリエチレン２ｂの層を積層するとともに、該紙２ａとポリエチレン２ｂとの間にアルミ箔２ｃの層を積層した液漏れ防止構造を有している。さらに、容器本体２或いは紙材の液卵Ａが接触する面には、例えば銀やアルミ等の金属を蒸着してなる金属層を積層している。
【００２０】
容器本体２の山形に傾斜する一方の上部外壁には、前記液卵充填室３に連通して、該液卵充填室３に充填された液卵Ａを取り出すための筒状を有する口部４が設けられている。この口部４は、液卵Ａの流出がスムースに行われる大きさ及び形状に形成されている。
【００２１】
口部４の外側には、該口部４を閉塞するための蓋体５(外蓋)が着脱自在に取り付けられている。また、口部４の内側には、該口部４を内側から閉塞するための内蓋６が開閉自在に取り付けられている。
【００２２】
口部４の外周面には、後述する蓋体５の雌ネジ部５ａを螺合するための雄ネジ部４ａが螺刻されている。また、蓋体５の内周面には、口部４ａの雄ネジ部４ａに対し螺合するための雌ネジ部５ａが螺刻されている。
【００２３】
内蓋６は、柔軟性を有する合成ゴムを用いて口部４が閉塞される大きさ及び形状に形成されている。また、内蓋６の一側縁部は、口部４の内側縁部に対し上下開閉自在に枢着されており、口部４が閉塞される閉状態(図３の実線参照)と、該口部４が開口される開状態(図３の仮想線参照)とに回動或いは可撓変形される。
【００２４】
図示実施例は前記の如く構成するものにして、以下、前記液卵充填容器１に充填された液卵Ａの取り出し方を説明する。  
先ず、蓋体５を、容器本体２の口部４から取り外した後、液卵充填容器１の全体を、液卵充填室３に充填された液卵Ａの液面よりも口部４の位置が低くなる角度或いは姿勢に傾ければ、液卵Ａの自重或いは圧力によって、口部４の内蓋６が開方向(図３の仮想線参照)へ回動或いは可撓変形され、液卵充填容器１の口部４が開口される。これにより、液卵充填容器１の口部４から所望量の液卵Ａを取り出すことができる。
【００２５】
また、液卵充填容器１の全体を、液卵充填室３に充填された液卵Ａの液面よりも口部４の位置が高くなる角度或いは姿勢に起立すれば、内蓋６自体が自重或いは復元力によって閉方向(図３の実線参照)へ回動或いは復帰し、液卵充填容器１の口部４が閉塞される。これにより、液卵Ａの取り出しを中止することができる。
【００２６】
また、液卵充填容器１の全体を、口部４が高くなる角度或いは姿勢に起立した際、液卵充填容器１の口部４が内蓋６にて閉塞されるので、容器本体２の口部４を蓋体５にて閉塞するまでに、例えばゴミや虫等の異物が容器本体２の内部に侵入するか、該容器本体２の内部に空気が侵入するのを阻止することができる。さらにまた、液卵充填室３の液卵Ａが空気に接触しにくく、液卵Ａの鮮度が低下するのを抑えることができる。
【００２７】
また、液卵Ａを、液卵充填容器１に充填したまま運搬或いは輸送するので、運搬や輸送の途中において、従来例のように卵の殻が割れるか、亀裂が入る等して液卵Ａが流出することがなく、液卵Ａの損失を無くすことができる。
【００２８】
さらにまた、液卵Ａの取り扱い及び管理が容易に行えるとともに、運搬或いは輸送するのに大変便利である。また、液卵充填容器１の口部４から液卵Ａを取り出して使用するので、卵の殻割り及び殻を捨てるような手間及び作業が省ける。また、例えばケーキや製菓、料理等の液卵Ａを必要とする様々な用途或いは目的に、所望する量の液卵Ａを即使用することができる。
【００２９】
前記実施例では、卵から取り出した液卵Ａを、卵白と卵黄との割合を変更せずにそのまま液卵充填容器１に充填しているが、用途や目的に応じて、卵白と卵黄との割合を１：１に変更するか、或いは、卵白と卵黄とのいずれか一方の割合が高くなるように変更する等してもよい。
【００３０】
液卵充填容器１に充填される液卵Ａは、図示しない濾過装置により卵の殻等の小さな異物が除去されている。また、例えば加熱殺菌処理方法、低温殺菌処理方法、或いは、その他の波殺菌処理方法等により殺菌処理された液卵Ａを液卵充填容器１に充填するか、或いは、液卵Ａが充填された液卵充填容器１を上記方法により殺菌処理している。
【００３１】
前記実施例では、卵白と卵黄とからなる１つの液卵Ａを液卵充填容器１に充填した例を説明したが、図４に示すような液卵Ａを分離してなる卵白液Ａａと卵黄液Ａｂとのいずれか一方を液卵充填容器１に充填してもよい。
【００３２】
つまり、卵白液Ａａが充填された液卵充填容器１と、卵黄液Ａｂが充填された液卵充填容器１とを予め準備しておけば、例えば製菓や料理等を作る際に、その用途或いは目的に応じて、卵白液Ａａと卵黄液Ａｂを使い分けることができる。
【００３３】
また、卵白液Ａａが充填された液卵充填容器１と、卵黄液Ａｂが充填された液卵充填容器１とを、卵白液Ａａと卵黄液Ａｂとの識別が容易に行える色に着色するか、その識別するための文字や名札等を付設してもよい。
【００３４】
図４は、液卵Ａの卵白液Ａａと卵黄液Ａｂとを個々に充填する液卵充填容器１の他の例を示す縦断側面図である。  
本例の液卵充填容器１は、前記液卵充填室３の内部を、前記卵白液Ａａの充填が許容される卵白液充填室３ａと、前記卵黄液Ａｂの充填が許容される卵黄液充填室３ｂとに分割している。
【００３５】
つまり、液卵充填室３の内部が左右均等に分割される中央位置に隔壁７を形成して、液卵充填室３の内部空間を、該液卵充填室３の長手方向と平行して卵白液充填室３ａと卵黄液充填室３ｂとに分割している。
【００３６】
容器本体２の山形に傾斜する一方の上部外壁には、前記卵白液充填室３ａに連通して該卵白液充填室３ａに充填された卵白液Ａａを取り出すための口部４が設けられている。
【００３７】
容器本体２の山形に傾斜する他方の上部外壁には、前記卵黄液充填室３ｂに連通して該卵黄液充填室３ｂに充填された卵黄液Ａｂを取り出すための口部４が設けられている。
【００３８】
また、卵白液充填室３ａの口部４及び卵黄液充填室３ｂの口部４には、該口部４を閉塞するための蓋体５と内蓋６とがそれぞれ取り付けられている。
【００３９】
つまり、液卵充填室３の卵白液充填室３ａに卵白液Ａａを充填し、卵黄液充填室３ｂに卵黄液Ａｂを充填しておけば、例えば製菓や料理等を作る際に、その用途或いは目的に応じて、卵白液Ａａと卵黄液Ａｂとのいずれか一方を選択して使用することができ、前記実施例と略同等の作用及び効果を奏することができる。
【００４０】
要するに、卵黄液充填室３ｂの口部４を蓋体５で閉塞しておき、卵白液充填室３ａの口部４から蓋体５を取り外せば、卵白液Ａａのみを取り出すことができる。  
また、卵白液充填室３ａの口部４を蓋体５で閉塞した後、卵黄液充填室３ｂの口部４から蓋体５を取り外せば、卵黄液Ａｂのみを取り出すことができる。これにより、卵白液Ａａと卵黄液Ａｂのいずれか一方を選択して使用することができる。
【００４１】
また、卵白液Ａａと卵黄液Ａｂとを１つの液卵充填容器１に充填しておくので、卵白液用容器と卵黄液用容器とを２つ準備する必要がなく、取り扱い及び管理が容易に行えるとともに、保管及び保存するスペースが小さくて済む。  
なお、卵白液充填室３ａと卵黄液充填室３ｂとのいずれか一方の容積が大きくなるように、隔壁７の位置を変更してもよい。  
また、卵白液充填室３ａ或いは卵黄液充填室３ｂのいずれか一方を、卵白液Ａａと卵黄液Ａｂとからなる液卵Ａを充填するための充填室として利用してもよい。
【００４２】
図５は、卵白液Ａａ及び卵黄液Ａｂの２液を同時に取り出すことができる液卵充填容器１を示す縦断側面図である。  
本例の液卵充填容器１は、前記容器本体２の隔壁７が設けられた上部外壁に、卵白液充填室３ａに充填された卵白液Ａａと、卵黄液充填室３ｂに充填された卵黄液Ａｂとを同時に取り出すための２液用口部３４が、隣り合う卵白液充填室３ａと卵黄液充填室３ｂとに連通して跨るように設けられている。  
また、２液用口部３４の外側には、該２液用口部３４を閉塞するための蓋体３５が着脱自在に取り付けられている。
【００４３】
つまり、液卵充填容器１に充填された卵白液Ａａと卵黄液Ａｂとを同時に取り出す場合、蓋体３５を、容器本体２の２液用口部３４から取り外した後、液卵充填容器１の全体を、卵白液充填室３ａに充填された卵白液Ａａ及び卵黄液充填室３ｂに充填された卵黄液Ａｂの液面よりも２液用口部３４の位置が低くなる角度或いは姿勢に傾ける。  
これにより、容器本体２の２液用口部３４から卵白液Ａａと卵黄液Ａｂとを同時に取り出すことができるので、前記実施例と略同等の作用及び効果を奏することができる。
【００４４】
図６は、液卵Ａと、卵白液Ａａと、卵黄液Ａｂとを個々に充填する液卵充填容器１を示す横断平面図である。  
本例の液卵充填容器１は、容器本体２の液卵充填室３を、液卵Ａが充填される主液卵充填室３ｃと、卵白液Ａａが充填される卵白液充填室３ａと、卵黄液Ａｂが充填される卵黄液充填室３ｂとに隔壁８で分割している。
【００４５】
容器本体２の上部外壁には、液卵Ａと卵白液Ａａと卵黄液Ａｂとを個々に取り出すための口部４が、主液卵充填室３ｃと卵白液充填室３ａと卵黄液充填室３ｂとに連通してそれぞれ設けられている。また、口部４の外側には、該口部４を閉塞するための蓋体５が着脱自在に取り付けられている。
【００４６】
つまり、液卵充填室３の主液卵充填室３ｃに液卵Ａを充填し、卵白液充填室３ａに卵白液Ａａを充填し、卵黄液充填室３ｂに卵黄液Ａｂを充填しておけば、前記の用途或いは目的に応じて、液卵Ａと卵白液Ａａと卵黄液Ａｂとの中からいずれか一つを選択して使用することができる。これにより、前記実施例と略同等の作用及び効果を奏することができる。
【００４７】
図７は、液卵Ａが充填された柔軟性を有するチューブ状の液卵充填容器１１を示す縦断側面図である。  
本例の液卵充填容器１１は、前記卵白と卵黄とからなる液卵Ａを、殺菌処理された容器本体１２の液卵充填室１３に充填したチューブ状の容器である。また、容器本体１２の外壁は、ポリエチレンの層と、アルミ箔の層と、ポリエステルの層と、その他の材質からなる層とを積層してなるラミネート構造を有している。
【００４８】
容器本体１２の一端側には、該容器本体１２の内部に形成された液卵充填室１３に連通して、該液卵充填室１３に充填された液卵Ａを取り出すための口部１４が設けられている。  
口部１４の外側には、該口部１４を閉塞するための蓋体１５が着脱自在に取り付けられている。また、口部１４の内側には、該口部１４を内側から閉塞するための内蓋１６が開閉自在に取り付けられている。
【００４９】
容器本体１２の他端側は、該他端側を一端側に向けて巻回するか重ね合わせる等して重合した後、その重合部分を高周波溶着装置により溶着して液卵Ａが液漏れしないように閉塞されている。
【００５０】
つまり、液卵充填容器１１に充填された液卵Ａを取り出す場合、蓋体１５を、容器本体１２の口部１４から取り外した後、液卵充填容器１１を、容器本体１２の他端側から一端側に向けて順に巻回するか重ね合わせれば、液卵Ａに付加される圧力によって、容器本体１２の口部１４から所望量の液卵Ａを絞り出すことができる。これにより、前記実施例と略同等の作用及び効果を奏することができる。
【００５１】
また、柔軟性を有する容器本体１２は、口部１４付近まで巻回するか重ね合わせることができるので、液卵充填容器１１に充填された液卵Ａの略全量を取り出すことができる。  
なお、口部１４の構造は、前記口部４の構造と同一構成であるのでその詳細な説明を省略する。
【００５２】
図８は、液卵Ａが充填された柔軟性を有するバック状の液卵充填容器２１を示す縦断側面図である。  
本例の液卵充填容器２１は、前記卵白と卵黄とからなる液卵Ａを、殺菌処理された容器本体２２の液卵充填室２３に充填したバッグ状の容器である。また、容器本体２２の外壁は、例えばポリエチレンやポリエステル等の柔軟性を有するプラスチックシートで形成されている。
【００５３】
容器本体２２の上端側には、該容器本体２２の内部に形成された液卵充填室２３に連通して、該液卵充填室２３に充填された液卵Ａを取り出すための口部２４が設けられている。  
口部２４の外側には、該口部２４を閉塞するための蓋体２５が着脱自在に取り付けられている。また、口部２４の内側には、該口部２４を内側から閉塞するための内蓋２６が開閉自在に取り付けられている。
【００５４】
つまり、液卵充填容器２１に充填された液卵Ａを取り出す場合、蓋体２５を、容器本体２２の口部２４から取り外した後、液卵充填容器２１を、容器本体２２の下端側から上端側に向けて巻回するか重ね合わせれば、液卵Ａに付加される圧力によって、容器本体２２の口部２４から所望量の液卵Ａを絞り出すことができる。これにより、前記実施例と略同等の作用及び効果を奏することができる。
【００５５】
また、柔軟性を有する容器本体２２は、口部２４付近まで巻回するか重ね合わせることができるので、液卵充填容器２１に充填された液卵Ａの略全量を取り出すことができる。
【００５６】
この考案の構成と、前記実施形態との対応において、  
この考案の液卵は、液卵Ａと、卵白液Ａａと、卵黄液Ａｂとに対応し、  
以下同様に、  
充填室は、卵白液充填室３ａと、卵黄液充填室３ｂと、主液卵充填室３ｃとに対応するも、  
この考案は、上述の実施形態の構成のみに限定されるものではなく、請求項に示される技術思想に基づいて応用することができ、多くの実施の形態を得ることができる。
【００５７】
実施例の全液卵Ａが取り出され、空になった紙パック型の液卵充填容器１は、再生紙としてリサイクルすることが可能である。  
また、液卵充填容器１，１１，２１の代わりに、例えば合成樹脂製の容器(ペットボトル)、金属製の容器(アルミ缶、スチール缶)、セラミック製の容器等の容器に、前記液卵Ａと、卵白液Ａａと、卵黄液Ａｂとのいずれか一つ又は複数を充填してもよい。
【符号の説明】
【００５８】
Ａ…液卵
Ａａ…卵白液
Ａｂ…卵黄液
１…液卵充填容器
２…容器本体
３…液卵充填室
３ａ…卵白液充填室
３ｂ…卵黄液充填室
３ｃ…主液卵充填室
４…口部
５…蓋体
６…内蓋
７，８…隔壁
１１…液卵充填容器
１２…容器本体
１３…液卵充填室
１４…口部
１５…蓋体
１６…内蓋
２１…液卵充填容器
２２…容器本体
２３…液卵充填室
２４…口部
２５…蓋体
２６…内蓋
３４…２液用口部
３５…蓋体
【図１】
0003158539.tif 000003
【図２】
0003158539.tif 000004
【図３】
0003158539.tif 000005
【図４】
0003158539.tif 000006
【図５】
0003158539.tif 000007
【図６】
0003158539.tif 000008
【図７】
0003158539.tif 000009
【図８】
0003158539.tif 000010
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
卵から取り出した液卵を容器本体に充填する密封型の液卵充填容器であって、
前記容器本体の内部に、前記液卵を充填するための液卵充填室を形成し、
前記容器本体の上部外壁に、前記液卵充填室に充填された液卵を取り出すための口部を設け、
前記口部に、該口部が閉塞される蓋体を着脱自在に取り付けた
液卵充填容器。
【請求項２】
前記液卵充填室の内部を、前記液卵が個々に充填される複数の充填室に分割し、
前記容器本体の上部外壁に、前記各充填室に連通して該各充填室に充填された液卵を取り出すための口部を個々に設け、
前記口部に、該口部が閉塞される蓋体を着脱自在に取り付けた
請求項１に記載の液卵充填容器。
【請求項３】
前記容器本体の上部外壁に、前記液卵充填室の内部に形成された隣り合う各充填室に連通して、該各充填室に充填された２つの液卵を同時に取り出すための２液用口部を設け、
前記２液用口部に、該２液用口部が閉塞される蓋体を着脱自在に取り付けた
請求項２に記載の液卵充填容器。
【請求項４】
前記口部の内側に、該口部が閉塞される内蓋を開閉自在に取り付けるとともに、
前記内蓋を、前記液卵の流出が阻止される閉状態と、該液卵の流出が許容される開状態とに開閉動作自在に設けた
請求項１〜３のいずれか一つに記載の液卵充填容器。
【請求項５】
前記各充填室に、前記液卵から分離された卵白液と卵黄液とをそれぞれ充填した
請求項３に記載の液卵充填容器。
【請求項６】
前記容器本体を、柔軟性を有するチューブ状或いはバッグ状の容器で構成した
請求項１〜５のいずれか一つに記載の液卵充填容器。
【手続補正２】
【補正対象書類名】明細書
【補正対象項目名】全文
【補正方法】変更
【補正の内容】
【考案の詳細な説明】
【技術分野】
【０００１】
この考案は、例えば鶏卵、鶉卵等の卵から取り出した液卵の取り扱い及び管理が容易に行える液卵充填容器に関する。
【背景技術】
【０００２】
従来は、養鶏場で収穫された鶏卵を、トラック等の交通輸送機関を利用してパック詰め工場や液卵工場へ運搬或いは輸送する場合、運搬時或いは輸送時に付与される振動によって、卵の殻に割れや亀裂等が発生しやすく、運搬や輸送の途中で卵から液卵が流出するため、損失を無くすことが困難であった。また、卵から液卵を取り出す際に、卵の殻を割る作業に手間及び時間が掛かるだけでなく、卵の殻を割った際に、液卵が衣服に付着することがある。また、卵の殻を棄てるのが大変煩わしく、液卵を使用する製菓や料理を作る回数が少なくなる。
【０００３】
上記鶏卵から取り出した液卵を運搬或いは輸送する方法の一例として、例えば特許文献１の飲料用紙パックのための飲料注出具等が提案されているが、飲料が残存する紙パックを長期保存する場合、紙パックの頂部外壁に突き刺された飲料注出具の口部をキャップで閉塞するまでに、例えばゴミや虫等の異物が紙パック内に侵入するか、紙パック内の飲料が空気に接触しやすく、飲料を清潔な状態に保つことが難しい。
【先行技術文献】
【特許文献】
【０００４】
【特許文献１】実公昭６１−２９６８０号公報
【考案の概要】
【考案が解決しようとする課題】
【０００５】
この考案は、液卵の取り扱い及び管理が容易に行えるとともに、所望する量の液卵を様々な用途或いは目的に使用することができる液卵充填容器を提供することを目的とする。
【課題を解決するための手段】
【０００６】
この考案は、卵から取り出した液卵を容器本体に充填する密封型の液卵充填容器であって、前記容器本体の内部に、前記液卵を充填するための液卵充填室を形成し、前記容器本体の上部外壁に、前記液卵充填室に充填された液卵を取り出すための口部を設け、前記口部に、該口部が閉塞される蓋体を着脱自在に取り付けた液卵充填容器であることを特徴とする。
【０００７】
これにより、液卵充填容器の上部外壁に設けられた口部から液卵を取り出すので、容器本体の上部全体を開口するよりも、容器本体の内部に異物や空気が侵入しにくく、液卵が空気に接触しにくいため、液卵の鮮度が低下するのを抑えることができる。
【０００８】
また、この考案の態様として、前記液卵充填室の内部を、前記液卵が個々に充填される複数の充填室に分割し、前記容器本体の上部外壁に、前記各充填室に連通して該各充填室に充填された液卵を取り出すための口部を個々に設け、前記口部に、該口部が閉塞される蓋体を着脱自在に取り付けることができる。  
これにより、例えば液卵から分離された卵白液と卵黄液とを２つの充填室に対し別々に充填しておけば、製菓や料理等を作る際に、その用途或いは目的に応じて、卵白液と卵黄液とのいずれか一方を選択して使用することができる。
【０００９】
また、この考案の態様として、前記容器本体の上部外壁に、前記液卵充填室の内部に形成された隣り合う各充填室に連通して、該各充填室に充填された２つの液卵を同時に取り出すための２液用口部を設け、前記２液用口部に、該２液用口部が閉塞される蓋体を着脱自在に取り付けることができる。  
これにより、容器本体の２液用口部から卵白液と卵黄液とを同時に取り出すことができる。
【００１０】
また、この考案の態様として、前記口部の内側に、該口部が閉塞される内蓋を開閉自在に取り付けるとともに、前記内蓋を、前記液卵の流出が阻止される閉状態と、該液卵の流出が許容される開状態とに開閉動作自在に設けることができる。  
これにより、容器本体の口部が蓋体で閉塞されるまでに、例えばゴミや虫等の異物が容器本体の内部に侵入するか、該容器本体の内部に空気が侵入するのを阻止することができる。
【００１１】
また、この考案の態様として、前記各充填室に、前記液卵から分離された卵白液と卵黄液とをそれぞれ充填することができる。  
これにより、卵白液と卵黄液を、用途或いは目的に応じて使い分けることができる。
【００１２】
また、この考案の態様として、前記容器本体を、柔軟性を有するチューブ状或いはバッグ状の容器で構成することができる。  
これにより、液卵充填容器に充填された液卵の略全量を取り出すことができる。
【００１３】
前記容器本体は、例えば合成樹脂製の容器(ペットボトル)、金属製の容器(アルミ缶、スチール缶)、セラミック製の容器等で構成することができる。
【考案の効果】
【００１４】
この考案によれば、液卵充填容器の上部外壁に設けられた口部から液卵を取り出すので、容器本体の上部全体を開口するよりも、容器本体の内部に異物や空気が侵入しにくく、液卵が空気に接触しにくい構造であるため、液卵の鮮度が低下するのを抑えることができるとともに、清潔且つ衛生的な常態を保つことができる。
【００１５】
また、液卵を、液卵充填容器に充填したまま運搬或いは輸送するので、液卵の取り扱い及び管理が容易に行えるとともに、運搬或いは輸送するのに大変便利である。また、液卵充填容器の口部から液卵を取り出すので、卵の殻割り及び殻を捨てるような手間及び作業が省ける。また、例えばケーキや製菓、料理等の液卵を必要とする様々な用途或いは目的に、所望する量の液卵を即使用することができる。
【図面の簡単な説明】
【００１６】
【図１】液卵が充填された液卵充填容器の外観形状を示す斜視図。
【図２】液卵が充填された液卵充填容器の内部構造を示す縦断側面図。
【図３】液卵充填容器に設けられた口部の構造を示す拡大縦断側面図。
【図４】卵白液と卵黄液とを個々に充填する液卵充填容器を示す縦断側面図。
【図５】２液を同時に取り出すことができる液卵充填容器を示す縦断側面図。
【図６】液卵、卵白液、卵黄液を充填する液卵充填容器を示す横断平面図。
【図７】液卵が充填されたチューブ状の液卵充填容器を示す縦断側面図。
【図８】液卵が充填されたバッグ状の液卵充填容器を示す縦断側面図。
【考案を実施するための形態】
【実施例】
【００１７】
図１は、液卵Ａが充填された液卵充填容器１の外観形状を示す斜視図、図２は、液卵Ａが充填された液卵充填容器１の内部構造を示す縦断側面図、図３は、液卵充填容器１に設けられた口部４の構造を示す拡大縦断側面図である。
【００１８】
本実施例の液卵充填容器１は、鶏卵から取り出した卵白と卵黄とからなる液卵Ａを、殺菌処理された容器本体２の液卵充填室３に充填した紙パック型の容器である。
【００１９】
容器本体２を構成する外壁は、紙を基材として複数の層が積層されたラミネート構造の紙材で構成されている。実施例の紙材は、紙２ａの両面にポリエチレン２ｂの層を積層するとともに、該紙２ａとポリエチレン２ｂとの間にアルミ箔２ｃの層を積層した液漏れ防止構造を有している。さらに、容器本体２或いは紙材の液卵Ａが接触する面には、例えば銀やアルミ等の金属を蒸着してなる金属層を積層している。
【００２０】
容器本体２の山形に傾斜する一方の上部外壁には、前記液卵充填室３に連通して、該液卵充填室３に充填された液卵Ａを取り出すための筒状を有する口部４が設けられている。この口部４は、液卵Ａの流出がスムースに行われる大きさ及び形状に形成されている。
【００２１】
口部４の外側には、該口部４を閉塞するための蓋体５(外蓋)が着脱自在に取り付けられている。また、口部４の内側には、該口部４を内側から閉塞するための内蓋６が開閉自在に取り付けられている。
【００２２】
口部４の外周面には、後述する蓋体５の雌ネジ部５ａを螺合するための雄ネジ部４ａが螺刻されている。また、蓋体５の内周面には、口部４ａの雄ネジ部４ａに対し螺合するための雌ネジ部５ａが螺刻されている。
【００２３】
内蓋６は、柔軟性を有する合成ゴムを用いて口部４が閉塞される大きさ及び形状に形成されている。また、内蓋６の一側縁部は、口部４の内側縁部に対し上下開閉自在に枢着されており、口部４が閉塞される閉状態(図３の実線参照)と、該口部４が開口される開状態(図３の仮想線参照)とに回動或いは可撓変形される。
【００２４】
図示実施例は前記の如く構成するものにして、以下、前記液卵充填容器１に充填された液卵Ａの取り出し方を説明する。  
先ず、蓋体５を、容器本体２の口部４から取り外した後、液卵充填容器１の全体を、液卵充填室３に充填された液卵Ａの液面よりも口部４の位置が低くなる角度或いは姿勢に傾ければ、液卵Ａの自重或いは圧力によって、口部４の内蓋６が開方向(図３の仮想線参照)へ回動或いは可撓変形され、液卵充填容器１の口部４が開口される。これにより、液卵充填容器１の口部４から所望量の液卵Ａを取り出すことができる。
【００２５】
また、液卵充填容器１の全体を、液卵充填室３に充填された液卵Ａの液面よりも口部４の位置が高くなる角度或いは姿勢に起立すれば、内蓋６自体が自重或いは復元力によって閉方向(図３の実線参照)へ回動或いは復帰し、液卵充填容器１の口部４が閉塞される。これにより、液卵Ａの取り出しを中止することができる。
【００２６】
また、液卵充填容器１の全体を、口部４が高くなる角度或いは姿勢に起立した際、液卵充填容器１の口部４が内蓋６にて閉塞されるので、容器本体２の口部４を蓋体５にて閉塞するまでに、例えばゴミや虫等の異物が容器本体２の内部に侵入するか、該容器本体２の内部に空気が侵入するのを阻止することができる。さらにまた、液卵充填室３の液卵Ａが空気に接触しにくく、液卵Ａの鮮度が低下するのを抑えることができる。
【００２７】
また、液卵Ａを、液卵充填容器１に充填したまま運搬或いは輸送するので、運搬や輸送の途中において、従来例のように卵の殻が割れるか、亀裂が入る等して液卵Ａが流出することがなく、液卵Ａの損失を無くすことができる。
【００２８】
さらにまた、液卵Ａの取り扱い及び管理が容易に行えるとともに、運搬或いは輸送するのに大変便利である。また、液卵充填容器１の口部４から液卵Ａを取り出して使用するので、卵の殻割り及び殻を捨てるような手間及び作業が省ける。また、例えばケーキや製菓、料理等の液卵Ａを必要とする様々な用途或いは目的に、所望する量の液卵Ａを即使用することができる。
【００２９】
前記実施例では、卵から取り出した液卵Ａを、卵白と卵黄との割合を変更せずにそのまま液卵充填容器１に充填しているが、用途や目的に応じて、卵白と卵黄との割合を１：１に変更するか、或いは、卵白と卵黄とのいずれか一方の割合が高くなるように変更する等してもよい。
【００３０】
液卵充填容器１に充填される液卵Ａは、図示しない濾過装置により卵の殻等の小さな異物が除去されている。また、例えば加熱殺菌処理方法、低温殺菌処理方法、或いは、その他の波殺菌処理方法等により殺菌処理された液卵Ａを液卵充填容器１に充填するか、或いは、液卵Ａが充填された液卵充填容器１を上記方法により殺菌処理している。
【００３１】
前記実施例では、卵白と卵黄とからなる１つの液卵Ａを液卵充填容器１に充填した例を説明したが、図４に示すような液卵Ａを分離してなる卵白液Ａａと卵黄液Ａｂとのいずれか一方を液卵充填容器１に充填してもよい。
【００３２】
つまり、卵白液Ａａが充填された液卵充填容器１と、卵黄液Ａｂが充填された液卵充填容器１とを予め準備しておけば、例えば製菓や料理等を作る際に、その用途或いは目的に応じて、卵白液Ａａと卵黄液Ａｂを使い分けることができる。
【００３３】
また、卵白液Ａａが充填された液卵充填容器１と、卵黄液Ａｂが充填された液卵充填容器１とを、卵白液Ａａと卵黄液Ａｂとの識別が容易に行える色に着色するか、その識別するための文字や名札等を付設してもよい。
【００３４】
図４は、液卵Ａの卵白液Ａａと卵黄液Ａｂとを個々に充填する液卵充填容器１の他の例を示す縦断側面図である。  
本例の液卵充填容器１は、前記液卵充填室３の内部を、前記卵白液Ａａの充填が許容される卵白液充填室３ａと、前記卵黄液Ａｂの充填が許容される卵黄液充填室３ｂとに分割している。
【００３５】
つまり、液卵充填室３の内部が左右均等に分割される中央位置に隔壁７を形成して、液卵充填室３の内部空間を、該液卵充填室３の長手方向と平行して卵白液充填室３ａと卵黄液充填室３ｂとに分割している。
【００３６】
容器本体２の山形に傾斜する一方の上部外壁には、前記卵白液充填室３ａに連通して該卵白液充填室３ａに充填された卵白液Ａａを取り出すための口部４が設けられている。
【００３７】
容器本体２の山形に傾斜する他方の上部外壁には、前記卵黄液充填室３ｂに連通して該卵黄液充填室３ｂに充填された卵黄液Ａｂを取り出すための口部４が設けられている。
【００３８】
また、卵白液充填室３ａの口部４及び卵黄液充填室３ｂの口部４には、該口部４を閉塞するための蓋体５と内蓋６とがそれぞれ取り付けられている。
【００３９】
つまり、液卵充填室３の卵白液充填室３ａに卵白液Ａａを充填し、卵黄液充填室３ｂに卵黄液Ａｂを充填しておけば、例えば製菓や料理等を作る際に、その用途或いは目的に応じて、卵白液Ａａと卵黄液Ａｂとのいずれか一方を選択して使用することができ、前記実施例と略同等の作用及び効果を奏することができる。
【００４０】
要するに、卵黄液充填室３ｂの口部４を蓋体５で閉塞しておき、卵白液充填室３ａの口部４から蓋体５を取り外せば、卵白液Ａａのみを取り出すことができる。  
また、卵白液充填室３ａの口部４を蓋体５で閉塞した後、卵黄液充填室３ｂの口部４から蓋体５を取り外せば、卵黄液Ａｂのみを取り出すことができる。これにより、卵白液Ａａと卵黄液Ａｂのいずれか一方を選択して使用することができる。
【００４１】
また、卵白液Ａａと卵黄液Ａｂとを１つの液卵充填容器１に充填しておくので、卵白液用容器と卵黄液用容器とを２つ準備する必要がなく、取り扱い及び管理が容易に行えるとともに、保管及び保存するスペースが小さくて済む。  
なお、卵白液充填室３ａと卵黄液充填室３ｂとのいずれか一方の容積が大きくなるように、隔壁７の位置を変更してもよい。  
また、卵白液充填室３ａ或いは卵黄液充填室３ｂのいずれか一方を、卵白液Ａａと卵黄液Ａｂとからなる液卵Ａを充填するための充填室として利用してもよい。
【００４２】
図５は、卵白液Ａａ及び卵黄液Ａｂの２液を同時に取り出すことができる液卵充填容器１を示す縦断側面図である。  
本例の液卵充填容器１は、前記容器本体２の隔壁７が設けられた上部外壁に、卵白液充填室３ａに充填された卵白液Ａａと、卵黄液充填室３ｂに充填された卵黄液Ａｂとを同時に取り出すための２液用口部３４が、隣り合う卵白液充填室３ａと卵黄液充填室３ｂとに連通して跨るように設けられている。  
また、２液用口部３４の外側には、該２液用口部３４を閉塞するための蓋体３５が着脱自在に取り付けられている。
【００４３】
つまり、液卵充填容器１に充填された卵白液Ａａと卵黄液Ａｂとを同時に取り出す場合、蓋体３５を、容器本体２の２液用口部３４から取り外した後、液卵充填容器１の全体を、卵白液充填室３ａに充填された卵白液Ａａ及び卵黄液充填室３ｂに充填された卵黄液Ａｂの液面よりも２液用口部３４の位置が低くなる角度或いは姿勢に傾ける。  
これにより、容器本体２の２液用口部３４から卵白液Ａａと卵黄液Ａｂとを同時に取り出すことができるので、前記実施例と略同等の作用及び効果を奏することができる。
【００４４】
図６は、液卵Ａと、卵白液Ａａと、卵黄液Ａｂとを個々に充填する液卵充填容器１を示す横断平面図である。  
本例の液卵充填容器１は、容器本体２の液卵充填室３を、液卵Ａが充填される主液卵充填室３ｃと、卵白液Ａａが充填される卵白液充填室３ａと、卵黄液Ａｂが充填される卵黄液充填室３ｂとに隔壁８で分割している。
【００４５】
容器本体２の上部外壁には、液卵Ａと卵白液Ａａと卵黄液Ａｂとを個々に取り出すための口部４が、主液卵充填室３ｃと卵白液充填室３ａと卵黄液充填室３ｂとに連通してそれぞれ設けられている。また、口部４の外側には、該口部４を閉塞するための蓋体５が着脱自在に取り付けられている。
【００４６】
つまり、液卵充填室３の主液卵充填室３ｃに液卵Ａを充填し、卵白液充填室３ａに卵白液Ａａを充填し、卵黄液充填室３ｂに卵黄液Ａｂを充填しておけば、前記の用途或いは目的に応じて、液卵Ａと卵白液Ａａと卵黄液Ａｂとの中からいずれか一つを選択して使用することができる。これにより、前記実施例と略同等の作用及び効果を奏することができる。
【００４７】
図７は、液卵Ａが充填された柔軟性を有するチューブ状の液卵充填容器１１を示す縦断側面図である。  
本例の液卵充填容器１１は、前記卵白と卵黄とからなる液卵Ａを、殺菌処理された容器本体１２の液卵充填室１３に充填したチューブ状の容器である。また、容器本体１２の外壁は、ポリエチレンの層と、アルミ箔の層と、ポリエステルの層と、その他の材質からなる層とを積層してなるラミネート構造を有している。
【００４８】
容器本体１２の一端側には、該容器本体１２の内部に形成された液卵充填室１３に連通して、該液卵充填室１３に充填された液卵Ａを取り出すための口部１４が設けられている。  
口部１４の外側には、該口部１４を閉塞するための蓋体１５が着脱自在に取り付けられている。また、口部１４の内側には、該口部１４を内側から閉塞するための内蓋１６が開閉自在に取り付けられている。
【００４９】
容器本体１２の他端側は、該他端側を一端側に向けて巻回するか重ね合わせる等して重合した後、その重合部分を高周波溶着装置により溶着して液卵Ａが液漏れしないように閉塞されている。
【００５０】
つまり、液卵充填容器１１に充填された液卵Ａを取り出す場合、蓋体１５を、容器本体１２の口部１４から取り外した後、液卵充填容器１１を、容器本体１２の他端側から一端側に向けて順に巻回するか重ね合わせれば、液卵Ａに付加される圧力によって、容器本体１２の口部１４から所望量の液卵Ａを絞り出すことができる。これにより、前記実施例と略同等の作用及び効果を奏することができる。
【００５１】
また、柔軟性を有する容器本体１２は、口部１４付近まで巻回するか重ね合わせることができるので、液卵充填容器１１に充填された液卵Ａの略全量を取り出すことができる。  
なお、口部１４の構造は、前記口部４の構造と同一構成であるのでその詳細な説明を省略する。
【００５２】
図８は、液卵Ａが充填された柔軟性を有するバッグ状の液卵充填容器２１を示す縦断側面図である。  
本例の液卵充填容器２１は、前記卵白と卵黄とからなる液卵Ａを、殺菌処理された容器本体２２の液卵充填室２３に充填したバッグ状の容器である。また、容器本体２２の外壁は、例えばポリエチレンやポリエステル等の柔軟性を有するプラスチックシートで形成されている。
【００５３】
容器本体２２の上端側には、該容器本体２２の内部に形成された液卵充填室２３に連通して、該液卵充填室２３に充填された液卵Ａを取り出すための口部２４が設けられている。  
口部２４の外側には、該口部２４を閉塞するための蓋体２５が着脱自在に取り付けられている。また、口部２４の内側には、該口部２４を内側から閉塞するための内蓋２６が開閉自在に取り付けられている。
【００５４】
つまり、液卵充填容器２１に充填された液卵Ａを取り出す場合、蓋体２５を、容器本体２２の口部２４から取り外した後、液卵充填容器２１を、容器本体２２の下端側から上端側に向けて巻回するか重ね合わせれば、液卵Ａに付加される圧力によって、容器本体２２の口部２４から所望量の液卵Ａを絞り出すことができる。これにより、前記実施例と略同等の作用及び効果を奏することができる。
【００５５】
また、柔軟性を有する容器本体２２は、口部２４付近まで巻回するか重ね合わせることができるので、液卵充填容器２１に充填された液卵Ａの略全量を取り出すことができる。
【００５６】
この考案の構成と、前記実施形態との対応において、  
この考案の液卵は、液卵Ａと、卵白液Ａａと、卵黄液Ａｂとに対応し、  
以下同様に、  
充填室は、卵白液充填室３ａと、卵黄液充填室３ｂと、主液卵充填室３ｃとに対応するも、  
この考案は、上述の実施形態の構成のみに限定されるものではなく、請求項に示される技術思想に基づいて応用することができ、多くの実施の形態を得ることができる。
【００５７】
実施例の全液卵Ａが取り出され、空になった紙パック型の液卵充填容器１は、再生紙としてリサイクルすることが可能である。  
また、液卵充填容器１，１１，２１の代わりに、例えば合成樹脂製の容器(ペットボトル)、金属製の容器(アルミ缶、スチール缶)、セラミック製の容器等の容器に、前記液卵Ａと、卵白液Ａａと、卵黄液Ａｂとのいずれか一つ又は複数を充填してもよい。
【符号の説明】
【００５８】
Ａ…液卵
Ａａ…卵白液
Ａｂ…卵黄液
１…液卵充填容器
２…容器本体
３…液卵充填室
３ａ…卵白液充填室
３ｂ…卵黄液充填室
３ｃ…主液卵充填室
４…口部
５…蓋体
６…内蓋
７，８…隔壁
１１…液卵充填容器
１２…容器本体
１３…液卵充填室
１４…口部
１５…蓋体
１６…内蓋
２１…液卵充填容器
２２…容器本体
２３…液卵充填室
２４…口部
２５…蓋体
２６…内蓋
３４…２液用口部
３５…蓋体